(57)【特許請求の範囲】
【請求項１】
対物レンズにより被写体の像が一次結像される受光端面とこの受光端面で結像された一次結像が伝達される出光端面とを有するファイバオプティクプレートと、
上記ファイバオプティクプレートの出光端面にそれぞれ光学的に対向配置されて複数の光路に分離する複数の全反射ミラーと、
上記複数の光路の途中にそれぞれ介在されて複数の所定波長帯域の画像のみをそれぞれ透過させる複数の干渉フィルタと、
これら干渉フィルタにより分離された複数の画像を所定方向に配列して単一の画像に合成する画像合成手段と、
この画像合成手段からの画像の倍率を光学的に縮小する縮小光学系と、
この縮小光学系からの複数の画像を単一の撮像面により撮像する撮像手段と、を具備していることを特徴とする多画面分光撮影装置。
【請求項２】
上記ファイバオプティクプレートの出光端面には、一次結像が表示される表示部の周囲を被覆する所要形状の艶消し黒のマスクを設けていることを特徴とする請求項１記載の多画面分光撮影装置。
【請求項３】
上記各干渉フィルタは、赤，緑，青およびこれらの合成色の光をそれぞれ透過するように構成されていることを特徴とする請求項１または２記載の多画面分光撮影装置。
【請求項４】
上記撮像手段は、電荷結合素子を具備していることを特徴とする請求項１〜３のいずれか１項に記載の多画面分光撮影装置。
【請求項５】
上記撮像手段は、銀塩写真フィルムを具備していることを特徴とする請求項１〜３のいずれか１項に記載の多画面分光撮影装置。
【請求項６】
上記撮像手段は、その撮像速度が制御自在に構成されていることを特徴とする請求項１〜５のいずれか１項に記載の多画面分光撮影装置。
【請求項７】
撮像手段により撮像された複数の画像を単一画面上で表示するモニタを具備していることを特徴とする請求項１〜４のいずれか１項、または６に記載の多画面分光撮影装置。
【発明の詳細な説明】
【０００１】
【発明の属する技術分野】
本発明は例えば燃焼等の任意の現象等の被写体からの光を受光して複数の波長帯域の画像に光学的に分離し、これら複数の画像を単一の撮像画面上に撮像してモニタの単一の表示画面上でほぼ同時に表示し得る多画面分光撮影装置に係り、特に、視差の解消とモニタ表示精度の向上とを共に図った多画面分光撮影装置に関する。
【０００２】
【従来の技術】
一般に、エンジン内の燃料の燃焼は、点火プラグによる点火時のブルーの火炎から爆発時のレッド火炎等へ変化する。したがって、このようなエンジン内の燃料の燃焼現象の解析や化学変化の温度解析、蛍光顕微鏡による血流の解析等所要の現象の挙動や振舞い等を観察し解析する方法としては、これらの現象からの光を、例えばＲ，Ｇ，Ｂ（赤，緑，青）等の複数の波長帯域の画像に光学的に分離して単一の表示画面にほぼ同時にモニタする方法が考えられる。
【０００３】
これらによれば、Ｒ，Ｇ，Ｂ等の各画像変化を単一画面上でほぼ同時に観察して比較することができるので、各種現象の挙動ないし振舞い等の解析に有効であると考えられる。
【０００４】
【発明が解決しようとする課題】
しかしながら、このような方法では、被写体が立体である場合に、その被写体の像をフィールドレンズにより一次結像させるときには、その一次結像に奥行方向の視差が発生するので、その一次結像に基づく画像を撮像し、表示する際の精度が低下する虞があるという課題がある。
【０００５】
また、対物レンズにより結像させた一次結像を複数の光路に分光するためにハーフミラーを使用し、その透過光から複数の波長帯域に光学的に分離する場合には、そのハーフミラーを透過する際に、その透過画像の光量が減少して輝度が低下するという不具合も考えられる。
【０００６】
さらに、複数の波長帯域に光学的に分離された複数の画像をそれぞれ別々の撮像素子に撮像させてモニタで表示させる場合には、そのモニタに表示される画像に各々の撮像素子固有の特性の相違が表示されてしまうので、その撮像素子固有の特性の相違を画像解析の際に考慮しなければならず、その解析が極めて複雑になってしまうという課題が考えられる。
【０００７】
本発明はこのような事情を考慮してなされたもので、その目的は、被写体の視差の無いまたは少ない一次結像を複数の波長帯域に光学的に分離した複数の画像をほぼ同時に単一の撮像素子に高精度で結像させ、かつモニタで表示することができる多画面分光撮影装置を提供するにある。
【０００８】
【課題を解決するための手段】
本願請求項１に係る発明は、対物レンズにより被写体の像が一次結像される受光端面とこの受光端面で結像された一次結像が伝達される出光端面とを有するファイバオプティクプレートと、上記ファイバオプティクプレートの出光端面にそれぞれ光学的に対向配置されて複数の光路に分離する複数の全反射ミラーと、上記複数の光路の途中にそれぞれ介在されて複数の所定波長帯域の画像のみをそれぞれ透過させる複数の干渉フィルタと、これら干渉フィルタにより分離された複数の画像を所定方向に配列して単一の画像に合成する画像合成手段と、この画像合成手段からの画像の倍率を光学的に縮小する縮小光学系と、この縮小光学系からの複数の画像を単一の撮像面により撮像する撮像手段と、を具備していることを特徴とする多画面分光撮影装置である。
【０００９】
この発明によれば、対物レンズにより被写体の像をファイバオプティクプレートの受光端面に一次結像するので、仮に被写体が立体であっても受光端面には三次元像ではなく、二次元像が結像されるので、被写体をどの方向から見ても被写体の奥行に起因する視差を殆ど解消させることができる。
【００１０】
そして、この視差の殆どない二次元像を複数の全反射ミラーと複数の干渉フィルタにより複数の波長帯域の画像にそれぞれ分離し、これら複数の画像を１画面上で所要方向に並ぶように合成して撮像手段の単一の撮像面により撮像するので、これら複数の画像を別々の撮像面によりそれぞれ撮像する場合に比して、各撮像面の固有の特性の相違等を各画像の解析の際に考慮する必要がないので、これら複数の画像同士を比較して解析する際の解析の容易性と精度を共に向上させることができる。
【００１１】
また、縮小光学系により被写体の画像の撮像倍率を撮像面の撮像角に応じて適宜調整することができる。さらに、ファイバオプティクプレートの出光端面に、複数の全反射ミラーを光学的に対向配置して複数の光路を形成し、ハーフミラーを使用しないので、これら光路の光量の減少を未然に防止することができる。また、全反射ミラーの反射角（煽り角）を適宜調節することにより、複数の画像が重なったり、干渉するのを未然かつ容易に防止することができる。そして、複数の光路の途中に、複数の波長帯域の画像のみをそれぞれ透過させる干渉フィルタを単にそれぞれ介在させるという簡単な構成により、複数の波長帯域の画像を容易に得ることができる。
【００１２】
請求項２に係る発明は、ファイバオプティクプレートの出光端面には、一次結像が表示される表示部の周囲を被覆する所要形状の艶消し黒のマスクを設けていることを特徴とする請求項１記載の多画面分光撮影装置である。
【００１３】
この発明によれば、被写体の像を対物レンズによりファイバオプティクプレートの受光端面に一次結像させるので、被写体の奥行に起因する視差の殆どない二次元像を得ることができる。したがって、この視差の殆どない二次元像に基づく多画像を単一の撮像面によりほぼ同時に撮像するので、その撮像ないしモニタの表示精度を向上させることができる。
【００１４】
また、ファイバオプティクプレートの受光端面で一次結像した像をほぼそのまま出光端面に伝達するので、その伝達精度を向上させることができる。
【００１５】
そして、ファイバオプティクプレートの出光端面では、その一次結像が出光される出光部の周囲を艶消し黒のマスクにより被覆しているので、この後、複数の波長帯域に光学的にそれぞれ分離される複数の画像の周囲は全て黒により縁取られた遮光状態になるので、これら複数の画像を単一の撮像面により撮像したときと、モニタで表示したときに、隣り合う画像同士の一部が重なり合ったり干渉し合ったりするのを防止ないし低減することができるうえに、各画像とその周囲の黒のコントラストを向上させることができるので、画像の鮮明度を向上させることができる。
【００１６】
請求項３に係る発明は、上記各干渉フィルタは、赤，緑，青およびこれらの合成色の光をそれぞれ透過するように構成されていることを特徴とする請求項１または２記載の多画面分光撮影装置である。
【００１７】
この発明によれば、各干渉フィルタが赤，緑，青およびこれらの合成色のフィルタであるので、例えば爆発現象や温度変化の解析等のように色の変化を伴なう現象の解析に使用する場合に好都合である。
【００１８】
請求項４に係る発明は、上記撮像手段は、電荷結合素子を具備していることを特徴とする請求項１〜３のいずれか１項に記載の多画面分光撮影装置である。
【００１９】
この発明によれば、撮像手段が小型軽量で高精度かつ安価な電荷結合素子を具備しているビデオカメラやデジタルカメラ等であるので、多画面分光撮影装置として小型軽量、高精度、低コストを図ることができる。
【００２０】
請求項５に係る発明は、上記撮像手段は、銀塩写真フィルムを具備していることを特徴とする請求項１〜３のいずれか１項に記載の多画面分光撮影装置である。
【００２１】
この発明によれば、撮像手段が安価な銀塩写真フィルムを具備しているスチールカメラ等であるので、さらなるコスト低減を図ることができる。
【００２２】
請求項６に係る発明は、上記撮像手段は、その撮像速度が制御自在に構成されていることを特徴とする請求項１〜５のいずれか１項に記載の多画面分光撮影装置である。
【００２３】
この発明によれば、撮像手段による被写体の撮像速度が制御自在であるので、例えば爆発現象等高速で変化する被写体をスローモーション撮像速度により高速撮像することにより、この爆発現象をスローモーションで再生することができるので、被写体の解析を容易に行なうことができる。
【００２４】
請求項７に係る発明は、撮像手段により撮像された複数の画像を単一画面上で表示するモニタを具備していることを特徴とする請求項１〜４のいずれか１項、または６に記載の多画面分光撮影装置である。
【００２５】
この発明によれば、モニタの１画面を見ることにより、ほぼ同時に波長帯域の異なる複数の画像の挙動を観察することができ、比較解析の容易性と精度を共に向上させることができる。
【００２６】
【発明の実施の形態】
以下、本発明の実施形態を図１〜図６に基づいて説明する。なお、これらの図中、同一または相当部分には同一符号を付している。
【００２７】
図１は本発明の第１実施形態に係る多画面分光撮影装置１の全体構成を示す模式図である。この多画面分光撮影装置１は、被写体２に光学的に対向配置される対物レンズ３と、この対物レンズ３により被写体２の像が一次結像される受光端面４ａとこの受光端面４ａからの一次結像が伝達される出光端面４ｂとを有するファイバオプティクプレート４と、を具備しており、このファイバオプティクプレート４と対物レンズ３とにより一次結像手段を構成している。被写体２が仮に立体（三次元）であっても、この被写体２の像がファイバオプティクプレート４の受光端面４ａに一次結像されるので、この一次結像は被写体２の奥行に起因する視差の殆ど無い二次元像となる。
【００２８】
上記ファイバオプティクプレート４は例えば直径が６μｍの細径の光ファイバの数万本を束状に結束した光学デバイスであり、受光端面４ａから出光端面４ｂまで画像を高精度で伝達する機能を有する。但し、このファイバオプティクプレート４は出光端面４ｂ側を受光端面４ａよりも小径に縮径したファイバテーパに置換してもよい。
【００２９】
図２はこのファイバオプティクプレート４の出光端面４ｂ上に、二次元画像５が表示される表示部４ｃの周囲を艶消し黒色塗料により四角形または円形等の所要形状で囲むように塗布して黒マスク６を形成している。
【００３０】
そして、このファイバオプティクプレート４の出光端面４ｂに、複数、例えば図１中上下２台の全反射ミラー６ａ，６ｂを光学的にそれぞれ対向させて配置し、二次元像５を光学的に伝達する２つの光路７ａ，７ｂをそれぞれ形成して光路分離手段に構成している。
【００３１】
これら各光路７ａ，７ｂの途中には、複数、例えば２つの波長帯域の光のみをそれぞれ透過させる２台の干渉フィルタ８ａ，８ｂをそれぞれ介在させて画像分離手段を構成している。
【００３２】
そして、これら２台の全反射ミラー６ａ，６ｂからの各反射光を三角柱状の２斜面反射直角プリズム１０の２斜面にそれぞれ入射させ、これらの各反射光に含まれる波長帯域の複数の画像を単一面上で上下方向等所要方向で並ぶように単一画像に合成して単一の光路９に出光させる画像合成手段を構成している。この光路９に出射された単一画像は、縮小光学系１２によりＣＣＤ（電荷結合素子）撮像素子１１の単一の撮像面１１ａに結像される。この縮小光学系１２は単一ＣＣＤ撮像面１１上に合成画像の全体を過不足なく結像し得るように撮像面１１の撮像角に応じて撮像倍率を適宜調整し得るようになっている。
【００３３】
そして、このＣＣＤ撮像素子１１は図示しないモニタに組み込まれ、図３（Ａ）に示すようにモニタの単一の表示画面１３には、複数の波長帯域の画像１４ａ，１４ｂが視差の殆どない二次元像として例えば上下方向に若干の間隔を置いて並んだ状態で殆ど同時に表示される。この図３（Ａ）中、表示画面１３の平行斜線で示される部分は上記ファイバオプティクプレート４の黒マスク６により受光が遮光された遮光部分１５であり、複数の画像１４ａ，１４ｂ同士が重なり合ったり干渉するのを防止することができる。
【００３４】
すなわち、仮にこの黒マスク６が無く、しかも、図３（Ｂ）に示すように、複数の画像１４ａ，１４ｂ同士が図中小円で示すように重なり合う重合部分１６があると、この重合部分１６で画像１４ａ，１４ｂ同士が干渉し合うので、これら画像１４ａ，１４ｂの形状に歪みが発生するうえに色の干渉が発生する。しかし、本実施形態では上述したように、ファイバオプティクプレート４の出光端面４ｂに黒マスク６を形成しているので、かかる歪みを未然に防止することができる。
【００３５】
そして、上記撮像素子１１は、その撮像面１１ａによる撮像速度を適宜制御し得るように構成されており、例えば爆発現象をスローモーションモードで再生し得る高速撮影が可能である等適宜制御し得るようになっている。
【００３６】
したがって、この多画面分光撮影装置１によれば、爆発等の現象や立体の被写体２の三次元像が対物レンズ３によりファイバオプティクプレート４の受光端面４ａに一次結像されて、出光端面４ｂに伝達されるので、この出光端面４ｂからは視差が殆ど無い二次元像５が出光される。
【００３７】
この二次元像５の出光は２つの全反射ミラー６ａ，６ｂにより２つの光路７ａ，７ｂに光学的に分離され、これら２光路７ａ，７ｂ上の２つの干渉フィルタ８ａ，８ｂにより２つの波長帯域の画像に光学的に分離される。これら全反射ミラー６ａ，６ｂを図１に示すように上下方向に配置することにより、２光路７ａ，７ｂを上下方向に分離して、画像１４ａ，１４ｂを図３（Ａ）に示すように上下方向に並べることができる。
【００３８】
これら２つの画像は全反射ミラー６ａ，６ｂにより反射されて２斜面直角反射プリズム１０の２斜面にそれぞれ入射され、ここで複数の画像１４ａ，１４ｂが単一画面上で例えば上下方向で並ぶように１画面に合成されて単一光路９に出射され、さらに縮小光学系１２により所定倍率で縮小されて図示しないモニタの単一の撮像面１１ａにより撮像される。
【００３９】
この撮像面１１ａにより撮像された画像は図３（Ａ）に示すように二次元像５の２画像１４ａ，１４ｂが例えば図中上下に並んだ状態でモニタの単一の表示画面１３上に表示される。
【００４０】
したがって、この多画面分光撮影装置１によれば、対物レンズ３により被写体２の像をファイバオプティクプレート４の受光端面４ａに一次結像するので、仮に被写体２が立体であっても受光端面４ａには三次元像ではなく、二次元像５が結像されているので、被写体２をどの方向から見ても視差を殆ど解消させることができる。
【００４１】
そして、この視差の殆どない二次元像を複数の波長帯域の画像にそれぞれ分離し、これら複数の画像を１画面に合成して単一の撮像面１１ａにより撮像するので、これら複数の画像を別々の撮像面１１ａによりそれぞれ撮像する場合に比して、各撮像面の固有の特性の相違等を考慮する必要がないので、これら複数の画像１４ａ，１４ｂ同士を比較して解析する際の解析精度を容易に向上させることができる。
【００４２】
また、縮小光学系１２により被写体２の画像の撮像倍率を撮像面１１ａの撮像角に応じて適宜調整することができる。
【００４３】
さらに、ファイバオプティクプレート４またはファイバテーパの出光端面４ｂでは、その一次結像が出光される出光部の周囲を黒マスク６により被覆しているので、この後複数の波長帯域に光学的にそれぞれ分離される複数の画像１４ａ，１４ｂの周囲は全て黒により縁取られた遮光状態になるので、これら複数の画像１４ａ，１４ｂを単一の撮像面１１ａにより撮像したときに、隣り合う画像１４ａ，１４ｂ同士の一部が重なり合ったり干渉し合ったりするのを防止ないし低減することができるうえに、各画像１４ａ，１４ｂとその周囲の黒のコントラストを向上させることができるので、表示画面１３の鮮明度を向上させることができる。
【００４４】
さらに、出光端面４ｂに、複数の全反射ミラー６ａ，６ｂを光学的に対向配置して複数の光路７ａ，７ｂを形成し、ハーフミラーを使用しないので、これら光路７ａ，７ｂの光量の減少を未然に防止することができる。また、全反射ミラー６ａ，６ｂの反射角（煽り角）を適宜調節することにより、複数の画像１４ａ，１４ｂが重なったり、干渉するのを未然かつ容易に防止することができる。
【００４５】
なお、上記多画面分光撮影装置１では、ファイバオプティクプレート４の出光端面４ｂの二次元像５からの出光を２光路７ａ，７ｂに分光して２画像１４ａ，１４ｂに分離する場合について説明したが、本発明はこれに限定されるものではなく、例えばこの２光路７ａ，７ｂに、さらに２つの光路７ｃ，７ｄを追加して４光路７ａ〜７ｄに構成してもよい。
【００４６】
この場合は、まず上記２斜面反射直角プリズム１０を、図４（Ａ）で示すように４つの斜面２０ａ，２０ｂ，２０ｃ，２０ｄを有する多斜面反射直角プリズム２０に置換すると共に、２台の反射ミラー６ａ，６ｂに、２台の反射ミラー６ｃ，６ｄを追加して４台の全反射ミラー６ａ，６ｂ，６ｃ，６ｄに増設し、これら全反射ミラー６ａ，６ｂ，６ｃ，６ｄをファイバオプティクプレート４の出光端面４ｂに所定間隔を置いて光学的に対向配置することにより４つの光路７ａ，７ｂ，７ｃ，７ｄを形成する。そして、これら４光路７ａ〜７ｄの途中に、二次元像５を例えばＲ（赤），Ｇ（緑），Ｂ（青）およびこれらの合成色の各波長帯域の画像に光学的に分離させる４つの干渉フィルタ８ａ，８ｂ，８ｃ，８ｄをそれぞれ介在させ、さらに、これら各全反射ミラー６ａ〜６ｄからの反射光を多斜面反射直角プリズム２０の各斜面２０ａ，２０ｂ，２０ｃ，２０ｄに入射させるように構成し、その合成光を単一光路９に出光させるように構成する。これ以外の構成は上記第１の実施形態に係る多画面分光撮影装置１と同様の構成とする。
【００４７】
図４（Ｂ）はこのように構成された多画面分光撮影装置１のモニタの単一の表示画面１３に、例えばＲ，Ｇ，Ｂおよびこれらの合成色の４つの画像１４ａ〜１４ｄが所要の間隙を置いてほぼ同時に表示される状態を示している。この場合は、Ｒ，Ｇ，Ｂおよびこれらの合成色の４画像１４ａ〜１４ｄが単一の表示画面１３上にほぼ同時に表示されるので、エンジン内の爆発現象のようにプラグ点火時の青い炎から爆発時の赤い炎のように温度変化が色の変化として表われる現象を観察し解析する場合に好都合である。なお、図４（Ｂ）中、符号１５は図３（Ａ）の符号１５と同様に上記黒マスク６により遮光される遮光部分を示している。
【００４８】
図５は本発明の第２の実施形態にかかる多画面分光撮影装置１Ａの全体構成を示す模式図である。この多画面分光撮影装置１Ａは図１で示す第１の実施形態に係る多画面分光撮影装置１において、２台の全反射ミラー６ａ，６ｂを１台のバイプリズム２１に置換すると共に、このバイプリズム２１の出光面側の２光路７ａ，７ｂに、図中上下に並設された２台の干渉フィルタ８ａ，８ｂをそれぞれ介在させた点に特徴がある。
【００４９】
図６に示すようにこのバイプリズム２１は図中上半部と下半部とに２つの斜面２１ａ，２１ｂを有し、これら２斜面２１ａ，２１ｂに、上記ファイバオプティクプレート４の出光端面４ｂからの出光が直接入射されて２つの光路７ａ，７ｂに光学的に分離されるようになっている。したがって、これら２光路７ａ，７ｂ中の光は各干渉フィルタ８ａ，８ｂにより２つの波長帯域の画像に光学的にそれぞれ分離され、これら２画像は縮小光学系１２により例えば上下方向に配列された状態で１画面に構成され、かつ所定の縮小倍率により縮小されて撮像素子１１の単一の撮像面１１ａに結像されて撮像され、図３に示すように表示画面１３上に複数の画像１４ａ，１４ｂが、図中上下方向に並んだ状態で表示される。これら画像１４ａ，１４ｂの並列方向はバイプリズム２１の２斜面２１ａ，２１ｂの並列方向に対応して決定される。
【００５０】
この多画面分光撮影装置１Ａではファイバオプティクプレート４からの出光を２光路７ａ，７ｂに光学的に分離する場合について説明したが、本発明はこれに限定されるものではなく、例えばこの２光路７ａ，７ｂに、さらに２光路７ｃ，７ｄを追加して４光路７ａ〜７ｄに形成してもよい。
【００５１】
この場合は図６で示すバイプリズム２１の前方または後方に、２枚目のバイプリズム２１を、これらの各斜面２１ａ，２１ｂの稜線２１ｃが相互に直交するように同心状に配設して４つの斜面２１ａ，２１ａ，２１ｂ，２１ｂを形成する。
【００５２】
これにより、これら４斜面２１ａ，２１ａ，２１ｂ，２１ｂに、ファイバオプティクプレート４からの出光がそれぞれ入射される４光路７ａ，７ｂ，７ｃ，７ｄが形成されるので、これら４光路７ａ〜７ｄ上に、例えば所要の４つの波長帯域の光（例えばＲ，Ｇ，Ｂ等）のみを透過させる干渉フィルタ８ａ，８ｂ，８ｃ，８ｄをそれぞれ配設する。
【００５３】
これにより、これら４つの干渉フィルタ８ａ〜８ｄによりそれぞれ光学的に分離された４つの画像１４ａ〜１４ｄが撮像素子１１の単一の撮像面１１ａに撮像されるので、図４（Ｂ）に示すようにこれら４画像１４ａ〜１４ｄがモニタの単一の表示画面１３上にほぼ同時に表示される。なお、この図４（Ｂ）中の大数字１〜４は図７で示すバイプリズム２１の４斜面２１ａ〜２１ｂの位置関係を示す大数字１〜４にそれぞれ対応している。例えば図７で示すバイプリズム２１の符号１で示す斜面に入射された画像は図４（Ｂ）で示す表示画面１３上には、同一数字の符号１で示す位置で表示される。
【００５４】
【発明の効果】
以上説明したように本発明は、対物レンズにより被写体の像を一次結像手段のファイバオプティクプレートの受光端面に一次結像するので、仮に被写体が立体であっても受光端面には三次元像ではなく、二次元像が結像されているので、被写体をどの方向から見ても被写体の奥行に起因する視差を殆ど解消させることができる。
【００５５】
そして、この視差の殆どない二次元像を複数の光路分離手段の全反射ミラーと画像分離手段の干渉フィルタとにより複数の波長帯域の画像にそれぞれ分離し、これら複数の画像を１画面上で所要方向に並ぶように合成して撮像手段の単一の撮像面により撮像するので、これら複数の画像を別々の撮像面によりそれぞれ撮像する場合に比して、各撮像面の固有の特性の相違等を各画像の解析の際に考慮する必要がないので、これら複数の画像同士を比較して解析する際の解析の容易性と精度を共に向上させることができる。
【００５６】
また、縮小光学系により被写体の画像の撮像倍率を撮像面の撮像角に応じて適宜調整することができる。
【図面の簡単な説明】
【図１】  本発明の第１の実施形態に係る多画面分光撮影装置の全体構成を示す模式図。
【図２】  図１で示すファイバオプティクプレートの出光端面の正面図。
【図３】  （Ａ）は図１で示す撮像素子を組み込むモニタの単一表示画面上に被写体の画像が表示される一例を示す模式図、（Ｂ）は同（Ａ）で示す２画像同士の干渉を２つの小円で示す模式図。
【図４】  （Ａ）は図１で示す２斜面反射直角プリズムの一変形例である多斜面反射直角プリズムの正面図、（Ｂ）は同（Ａ）で示す多斜面反射直角プリズムを使用したときの単一の表示画面に４画像がほぼ同時に表示される表示例を示す模式図。
【図５】  本発明の第２の実施形態に係る多画面分光撮影装置の全体構成を示す模式図。
【図６】  図５で示すバイプリズムの正面図。
【図７】  図６で示すバイプリズムの２枚を前後に並設したときの４斜面の位置関係をそれぞれ示す図。
【符号の説明】
１，１Ａ  多画面分光撮影装置
２  被写体
３  対物レンズ
４  ファイバオプティクプレート
４ａ  受光端面
４ｂ  出光端面
５  二次元像
６ａ，６ｂ，６ｃ，６ｄ  全反射ミラー
７ａ，７ｂ，７ｃ，７ｄ  光路
８ａ，８ｂ，８ｃ，８ｄ  干渉フィルタ
９  単一光路
１０  ２斜面反射直角プリズム
１１  撮像素子
１１ａ  単一の撮像面
１２  縮小光学系
１３  表示画面
１４ａ，１４ｂ，１４ｃ，１４ｄ  画像
１５  遮光部分
１６  重合部分
２１  バイプリズム
２１ａ，２１ｂ  斜面
２１ｃ  稜線
【図１】
0004198325.tif 000002
【図２】
0004198325.tif 000003
【図３】
0004198325.tif 000004
【図４】
0004198325.tif 000005
【図５】
0004198325.tif 000006
【図６】
0004198325.tif 000007
【図７】
0004198325.tif 000008